(57)【要約】【課題】  取手等を備えていない袋において、その袋により多くの物を詰めることができると共に、その状態でも、袋が破損することなく、容易に運搬することのできる袋運搬具を提供する。【解決手段】  粘着テープ１１により上部開口の少なくとも二箇所を残して閉鎖した袋１３を運ぶための袋運搬具１０であって、袋運搬具１０に、粘着テープ１１により閉鎖されていない袋１３の一方の上部開口１２Ａから他方の上部開口１２Ｂに挿通される棒状の支持部１４と、支持部１４と共に袋１３に巻き掛けられる帯部材１５と、支持部１４に連結された取手部１６とを具備させる。【選択図】        図１
2006021810.tif 000002
【特許請求の範囲】
【請求項１】
粘着テープにより上部開口の少なくとも二箇所を残して閉鎖した袋を運ぶための袋運搬具であって、
前記粘着テープにより閉鎖されていない袋の一方の上部開口から他方の上部開口に挿通される棒状の支持部と、
該支持部と共に袋に巻き掛けられる帯部材と、
前記支持部に連結された取手部と
を具備することを特徴とする袋運搬具。
【請求項２】
前記取手部は、
所定距離離間し、前記支持部に連結可能な第一連結部及び第二連結部と、
前記第一連結部及び前記第二連結部とを接続する接続部と、
該接続部に固定されるグリップと
を備えることを特徴とする請求項１に記載の袋運搬具。
【請求項３】
前記第一連結部は、前記支持部の一端に、回動可能、且つ、少なくとも該支持部の軸方向にスライド可能に連結され、
前記第二連結部は、前記支持部の軸方向にスライドすることで、該支持部の他端と連結するように形成され、
袋の運搬時に前記第一連結部及び前記第二連結部が前記支持部の軸方向にスライドするのを阻止するストッパを備えていることを特徴とする請求項２に記載の袋運搬具。
【請求項４】
前記支持部及び前記接続部の少なくとも一方には、前記支持部の軸方向に袋が移動するのを阻止する滑止めを備えていることを特徴とする請求項１から請求項３までの何れか一つに記載の袋運搬具。
【請求項５】
前記支持部又は前記接続部には、
前記帯部材を係止する係止部が備えられていることを特徴とする請求項１から請求項４までの何れか一つに記載の袋運搬具。
【発明の詳細な説明】
【技術分野】
【０００１】
本発明は、袋を手で持って運搬するための袋運搬具に関するもので、特に、取手等が設けられていない袋を運搬するための袋運搬具に関するものである。
【背景技術】
【０００２】
従来より、例えば、ゴミ袋等、取手等が設けられていない袋に物を詰めて運搬する場合、袋の口元を縛ることで、内部の物が袋から出ないようにした上で、縛った口元を手で持ったりして運搬していた。或いは、袋とは別体となった取手を袋の上部に取り付けることで、取手等が設けられていない袋を持ち運び可能としたものも知られている。
【０００３】
本願出願人は、上記の従来技術が記載されている文献を特に知見していない。
【発明の開示】
【発明が解決しようとする課題】
【０００４】
しかしながら、袋の口元を縛って運搬する場合、その袋を構成している部材を用いて口元を縛るため、袋に詰められる容量が減少してしまい、多くの物を袋に詰めることができなかった。また、手で持てる場所が、口元の縛った部分しかないので、持ち辛いものとなっていた。
【０００５】
一方、袋の上部に、別体で形成された取手を取り付けるものの場合、手で持ち易く、容易に運搬することができるものの、取手と袋との取付部が、ピンなどにより取付固定されているので、袋に詰められた物の重量が、その取付部に集中して袋が破損する問題があった。
【０００６】
そこで、本発明は、上記の実状に鑑み、取手等を備えていない袋において、その袋により多くの物を詰めることができると共に、その状態でも、袋が破損することなく、容易に運搬することのできる袋運搬具の提供を課題とするものである。
【課題を解決するための手段】
【０００７】
上記の課題を解決するために、本発明に係る袋運搬具は、「粘着テープにより上部開口の少なくとも二箇所を残して閉鎖した袋を運ぶための袋運搬具であって、前記粘着テープにより閉鎖されていない袋の一方の上部開口から他方の上部開口に挿通される棒状の支持部と、該支持部と共に袋に巻き掛けられる帯部材と、前記支持部に連結された取手部とを具備する」構成とするものである。
【０００８】
ここで、粘着テープとしては、所謂、ガムテープと言われる一般に公知のものを用いることができる。また、袋としては、その材質を、ポリエチレン（炭酸カルシウム配合を含む）、塩化ビニル、等の樹脂や紙等、特に限定するものではなく、また、その用途も、ゴミ袋、汎用の袋、等を例示することができる。
【０００９】
また、支持部及び取手部を形成する材料としては、特に限定するものではないが、樹脂、紙、木材、金属、等を用いることができ、リサイクルが可能な材料や、容易に焼却することが可能で有害物質の発生が少ない材料、等とすることが望ましい。
【００１０】
本発明によると、物を詰めた袋の上部開口を、少なくとも二箇所を残して粘着テープにより閉鎖し、閉鎖されていない袋上部の一方の開口から他方の開口に支持部を挿通させ、そして、支持部に取手部を連結させて、更に、支持部と共に袋に帯部材を巻き掛けた上で、取手部を持つことで、支持部を介して袋を運搬することが可能となる。
【００１１】
これにより、袋は、その上部開口が粘着テープにより略直線状に閉鎖されるので、従来のように口元を縛って閉鎖する場合に比べて、袋に詰められる容量を可及的に多くすることが可能となる。そして、袋の閉鎖されていない開口から挿入された支持部は、その上面の広い範囲に亘って袋を支持することができ、詰められた物の重量が分散して支持されるそのため、その重量により袋が破損するのを防止することができる。
【００１２】
更に、支持部に取手部を連結しているので、持ち易くなり物を充分に詰めた袋を容易に運搬することができる。また、支持部に取手の機能を備える必要がないので、支持部を簡単な構成とすることができ、袋に挿通する作業を容易に行えるようにすることができる。
【００１３】
また、帯部材を支持部と共に袋に巻き掛けているので、支持部だけでなく帯部材によっても袋を支持することができ、更に袋の破損を防止することができる。なお、粘着テープにより袋の上部開口を閉鎖しない箇所は、少なくとも上部開口における両端の二箇所を含むようにすることが望ましく、これにより、広い範囲で袋を支持することができる。
【００１４】
本発明に係る袋運搬具は、上記の構成に加えて、「前記取手部は、所定距離離間し、前記支持部に連結可能な第一連結部及び第二連結部と、前記第一連結部及び前記第二連結部とを接続する接続部と、該接続部に固定されるグリップとを備える」構成とすることもできる。
【００１５】
ここで、第一連結部及び第二連結部としては、特に限定するものではないが、例えば、フック状に形成して支持部と連結するもの、筒状に形成して支持部を挿通することで連結するもの、ピン等を用いて支持部と連結するもの、等を例示することができる。
【００１６】
本発明によると、取手部に備えられた第一連結部及び第二連結部を支持部と連結させ、それら第一連結部及び第二連結部を接続する接続部に固定されたグリップを持つことで袋を持ち上げて運搬することが可能となる。これにより、取手部と支持部とを容易に着脱することができ、支持部を袋に挿入する作業を容易にすることができる。
【００１７】
また、取手部を、第一連結部と第二連結部との二箇所において支持部と連結させているので、安定した係合を得ることができ、袋を安定して運搬することができる。また、第一連結部と第二連結部とを接続部で接続しており、取手部の剛性を高めることができる。
【００１８】
本発明に係る袋運搬具は、上記の構成に加えて、「前記第一連結部は、前記支持部の一端に、回動可能、且つ、少なくとも該支持部の軸方向にスライド可能に係合され、前記第二連結部は、前記支持部の軸方向にスライドすることで、該支持部の他端と連結するように形成され、袋の運搬時に前記第一連結部及び前記第二連結部が前記支持部の軸方向にスライドするのを阻止するストッパを備えている」構成とすることもできる。
【００１９】
ここで、ストッパとしては、特に限定するものではないが、支持部の軸方向に対して直角方向にスライドすることでストッパとして機能するもの、係止爪等が被係止部に係止することでストッパとして機能するもの、等を例示することができる。
【００２０】
本発明によると、取手部の第一連結部が、支持部の一端に回動可能且つスライド可能に連結されているので、取手部の第二連結部を支持部の他端に接近させたり遠ざけたりすることができ、第二連結部を支持部の他端から遠ざけた状態で、支持部を袋の一方の開口から挿入し、支持部の他端を袋の他方の開口から突出させる。続いて、取手部の第二連結部が支持部の他端と連結可能な位置となるように回動させた上、第一連結部を支持部の軸方向にスライドさせる。即ち、第一連結部と共に第二連結部をスライドさせ、第二連結部と支持部の他端とを連結させ、その後、ストッパにより軸方向へのスライドを阻止する。
【００２１】
これにより、物の詰まった袋を容易に運搬することが可能となる他、支持部と取手部とが第一連結部において常に連結されており、つまり、一体となっているので、袋への取付や保管時等に、その取り扱いを容易にすることができる。
【００２２】
また、ストッパにより、第一連結部及び第二連結部が、支持部の軸方向にスライドするのを阻止しているので、袋を運搬時に、第一連結部及び第二連結部がスライドして支持部との連結が解除され、袋運搬具から袋が脱落したりするのを防止することができる。
【００２３】
本発明に係る袋運搬具は、上記の構成に加えて、「前記支持部及び前記接続部の少なくとも一方には、前記支持部の軸方向に袋が移動するのを阻止する滑止めを備えている」構成とすることもできる。
【００２４】
ここで、滑止めとしては、特に限定するものではないが、ゴムやスポンジなど弾性力があり摩擦抵抗の大きいものが望ましく、その他に、微小な突起などにより機械的に袋の移動を阻止するものでも良い。なお、滑止めを接続部に備える場合は、滑止めが袋と接触可能な位置に接続部を備える必要がある。
【００２５】
本発明によると、支持部及び接続部の少なくとも一方に滑止めを備えているので、袋の運搬時に袋が滑って移動して持ち辛くなったり、支持部から抜けて脱落したりするのを防止することができる。
【００２６】
本発明に係る袋運搬具は、上記の構成に加えて、「前記支持部又は前記接続部には、前記帯部材を係止する係止部が備えられている」構成とすることもできる。ここで、係止部としては、特に限定するものではないが、突起状のものとして帯部材に穿設された孔に通すことで係止するものなどを例示することができる。
【００２７】
本発明によると、支持部又は接続部に、帯部材を係止する係止部が備えられており、これにより、袋に巻き掛けた帯部材がずれて袋から外れるのを防止することができる。また、帯部材を袋に巻き掛ける際に、容易にその作業を行うことができる。
【発明の効果】
【００２８】
上記のように、本発明によると、取手等を備えていない袋において、その袋により多くの物を詰めることができると共に、その状態でも、袋が破損することなく、容易に運搬することのできる袋運搬具を提供することができる。
【発明を実施するための最良の形態】
【００２９】
以下、本発明を実施するための最良の形態について図１及び図２を基に詳細に説明する。図１は、本発明の一実施形態である袋運搬具の全体構成を示す斜視図であり、図２は、図１における袋運搬具を分解して示す斜視図である。本例の袋運搬具は、取手等が設けられていない袋を容易に手で持って運搬可能とするためのものである。
【００３０】
図１及び図２に示すように、本実施形態の袋運搬具１０は、粘着テープ１１により上部開口１２の少なくとも二箇所を残して閉鎖した袋１３を運ぶためのものであり、粘着テープ１１により閉鎖されていない袋１３の一方の上部開口１２Ａから他方の上部開口１２Ｂに挿通される棒状の支持部１４と、支持部１４と共に袋１３に巻き掛けられる帯部材１５と、支持部１４に連結された取手部１６とを備えている。
【００３１】
粘着テープ１１は、本例では、一般に市販のものを用いており、袋１３の開口１２を跨ぐように貼り付ける。なお、袋１３に貼り付けられる粘着テープ１１の長さは、運搬時に剥がれたり、袋１３が破損したりするのを抑制するために、少なくとも３ｃｍ以上あることが望ましい。また、袋１３は、本例では、一般に市販されている、ポリエチレン製のゴミ袋とされている。
【００３２】
支持部１４は、本例では、排プラスチックを用いており、袋１３の開口１２の長さよりも若干長く形成されている。また、帯部材１５は、図示するように、袋１３の上下方向の全周よりも長く、両端部には係止孔１７が穿設されており、特に、一方の端部には、所定間隔で複数の係止孔１７が設けられている。
【００３３】
取手部１６は、所定距離離間し、支持部１４に連結可能な第一連結部１８及び第二連結部１９と、それら第一連結部１８及び第二連結部１９とを接続する接続部２０と、接続部２０に固定されるグリップ２１とを備えている。また、取手部１６の接続部２０の略中央には、上方に突出する係止部２２が備えられており、この係止部２２を帯部材１５の係止孔１７に挿通することで帯部材１５が接続部２０に係止されるようになっている。
【００３４】
第一連結部１８及び第二連結部１９は、本例では、弾性変形可能なフック形状とされており、支持部１４の外周と連結すると共に、袋１３に詰められた物の重量に、充分に耐えられ強度とされている。
【００３５】
次に、本実施形態の袋運搬具１０の作用についてその使用方法と共に説明する。まず、袋１３に生ゴミ等の物を詰め、その上部開口１２を互いに合わせた上で、所定の長さに切断した複数の粘着テープ１１により、その開口１２を閉鎖する。その際、袋１３の上部開口１２の両端では、支持部１４が挿通可能な大きさの開口１２Ａ，１２Ｂが残るように粘着テープ１１を貼り付ける。また、支持部１４と取手部１６の第一連結部１８及び第二連結部１９とを連結させる部位に対応した上部開口１２の部位でも、第一連結部１８及び第二連結部１９が袋１３内に挿入可能なように粘着テープ１１を貼り付ける。
【００３６】
粘着テープ１１により袋１３の上部開口１２を閉鎖したら、袋１３における上部両端の一方の開口１２Ａから支持部１４の一端を袋１３内に挿入し、他方の開口１２Ｂから支持部１４の一端を袋１３外に突き出させる。そして、取手部１６の第一連結部１８及び第二連結部１９を、上述した粘着テープ１１の貼られていない部位から袋１３内に挿入して、支持部１４と連結させる。
【００３７】
続いて、帯部材１５の係止孔１７が一つしかない側の端部の係止孔１７を、取手部１６における接続部２０の係止部２２に係止させた上、帯部材１５を袋１３に巻き掛けて、その反対側の端部の係止孔１７を係止部２２に係止させる。この時、帯部材１５により、袋１３にかかる重量をある程度支持できるように係止部２２に係止させる。
【００３８】
帯部材１５を係止部２２に係止した状態で、取手部１６のグリップ２２を握って持ち上げることで、ゴミ等の詰まった袋１３を運搬することができる。この運搬の際、袋１３と支持部１４との間には、複数の粘着テープ１１が介在しており、これら粘着テープ１１は、袋１３に面で接着しており、重量が一箇所に集中せずに分散されるので、袋１３重量により破損するのが防止される。因みに、袋１３として、一辺が５０ｃｍ程の一般的なゴミ袋を用いた場合、約２０ｋｇ程の重量の物を詰めても、袋１３が破損することなく安全に運搬することができる。
【００３９】
そして、袋１３を所定の場所まで運搬したら、袋１３を降ろし、係止部２２から帯部材１５の係止を解除し、続いて、支持部１４と取手部１６の第一連結部１８及び第二連結部１９の連結を外し、支持部１４から取手部１６を開放する。その後、支持部１４を袋１３から引抜くことで、一連の運搬作業が終了する。
【００４０】
このように、本実施形態の袋運搬具１０によると、取手等を備えていない袋１３に最大限の物を詰めた状態でも、袋１３が破損することなく、容易に運搬することができる。また、帯部材１５を支持部１４と共に袋１３に巻き掛けており、帯部材１５によっても袋１３を支持することができるので、更に袋１３の破損を防止することができる。
【００４１】
また、粘着テープ１１により袋１３の上部開口１２が、略直線状に閉鎖されるので、従来のように口元を縛って閉鎖する場合に比べて、袋１３に詰められる物の量を可及的に多くすることができる。
【００４２】
また、支持部１４に取手部１６を連結するようにしているので、支持部１４を単純な棒状とすることができ、袋１３への挿通作業を容易にすることができる。
【００４３】
更に、取手部１６は、第一連結部１８と第二連結部１９との二箇所において支持部１４と連結させているので、安定した係合を得ることができ、袋１３を安定して運搬することができる。
【００４４】
以上、本発明を実施するための最良の実施形態を挙げて説明したが、本発明は、この実施形態に限定されるものではなく、以下に示すように、本発明の要旨を逸脱しない範囲において、種々の改良及び設計の変更が可能である。
【００４５】
すなわち、本実施形態の袋運搬具１０では、支持部１４と取手部１６とが別体となったものを示したが、これに限定するものではなく、例えば、図３乃至図５に示すような、支持部と取手部とが一体となったものでも良い。図３は、図１とは異なる本発明の袋運搬具の一実施形態を示す斜視図であり、図４（Ａ）〜（Ｄ）は、図３に示す袋運搬具の作用を示す説明図であり、図５は、図３とは更に異なる本発明の袋運搬具の一実施形態を示す斜視図である。
【００４６】
例えば、図３及び図４に示す袋運搬具３０は、支持部３１に連結される取手部３２は、その第一連結部３３が、支持部３１の一端に、回動可能、且つ、支持部３１の軸方向にスライド可能に連結され、また、第二連結部３４が、支持部３１の軸方向にスライドすることで、支持部３１の他端と連結するように形成され、第一連結部３３及び第二連結部３４とを接続する接続部３５と、接続部３５に固定されるグリップ３６とを備えたものである。
【００４７】
図示するように、支持部３１の一端（図中右側端）には、その軸方向に所定長さ延びるスリット３７が形成されており、このスリット３７に取手部３２の第一連結部３３が連結ピン３８を介して連結されている。この連結ピン３８は、スリット３７内を回転可能、且つ、スライド可能となっている。なお、スリット３７の右側端部には、スリット３７と続き上方に若干延びたストッパ４１が形成されており、このストッパ４１に連結ピン３８が入ることで、連結ピン３８が支持部３１の軸方向へのスライドが阻止されるようになっている。
【００４８】
一方、第二連結部３４は、図示するように、その内部に支持部３１の他端を挿通可能な所定長さの筒状とされており、支持部３１の軸方向にスライドすることで、支持部３１の他端と連結可能とされている。
【００４９】
また、支持部３１と取手部３２の接続部３５の対向する夫々の面には、支持部３１の軸方向に袋１３が移動するのを阻止する滑止め３９が夫々備えられている。本例の滑止め３９は、所定厚さのゴムからなっている。なお、図中符号４０は、帯部材１５を係止するための係止部である。
【００５０】
次に、この袋運搬具３０の作用について図４を基に説明する。まず、同図（Ａ）に示すように、取手部３２を支持部３１の軸方向に対し、図中左方向にスライドさせた上で、第一連結部３３の連結ピン３８を中心に時計回りに回転させて支持部３１の他端と第二連結部３４とが遠ざかった状態とし、その状態で、図１の例と同様に、支持部３１の他端（図中左側端）を図示しない袋１３の一方の開口１２Ａから他方の開口１２Ｂに挿通する。
【００５１】
そして、取手部３２の第二連結部３４を支持部３１の他端に近接するように、連結ピン３８を中心に反時計回りに回転させ、同図（Ｂ）に示すように、第二連結部３４が、支持部３１の他端の左側、即ち、支持部３１の他端と連結可能な位置に回転移動させる。
【００５２】
続いて、取手部３２をその連結ピン３８が、支持部３１におけるスリット３７の右側端部に当接するまで、図中右方向にスライドさせる（同図（Ｃ）参照）。これにより、支持部３１の他端が、筒状に形成された第二連結部３４に挿入される。そして、袋１３に帯部材１５を巻き掛けると共に、帯部材１５を係止部４０に係止させ、その状態で、グリップ３６を握って持ち上げると、支持部３１に袋１３からの重さが作用して、第一連結部３３の連結ピン３８がスリット３７からストッパ４１内へと移動する（同図（Ｄ）参照）。
【００５３】
このように、この袋運搬具３０によると、上記の実施形態と同様の作用効果を奏する他に、袋１３を運搬中は、連結ピン３８が、ストッパ４１内に移動しているので、連結ピン３８、即ち、取手部３２が支持部３１の軸方向にスライドするのを阻止されるので、第二連結部３４がスライドして支持部３１との連結が解除され、袋運搬具３０から袋１３が脱落したりするのを防止することができる。また、滑止め３９を備えているので、袋１３の運搬時に袋１３が滑って移動して持ち辛くなったり、支持部３１から抜けて脱落したりするのを防止することができる。
【００５４】
一方、図５に示す袋運搬具５０は、支持部５１と取手部５２とを支持部５１の一端において連結部５３により位置固定に連結したもので、取手部５２の開放端には、握り易いようにグリップ５４が備えられている。本例の支持部５１、連結部５３、取手部５２は、一本の棒状の部材を屈曲させて形成されている。なお、本例では、帯部材１５を係止する係止部５５が支持部３１の略中央に備えられている。このように、本例においても、上記実施例と同様の作用効果を奏することができる。
【００５５】
また、上記の実施例では、滑止めとして、ゴムを用いたものを示したが、これに限定するものではなく、スポンジ等、弾力性があり摩擦抵抗の大きいものでも良く、或いは、凹凸を設けて機械的に袋の移動を阻止するものとしても良い。
【図面の簡単な説明】
【００５６】
【図１】本発明の一実施形態である袋運搬具の全体構成を示す斜視図である。
【図２】図１における袋運搬具を分解して示す斜視図である。
【図３】図１とは異なる本発明の袋運搬具の一実施形態を示す斜視図である。
【図４】（Ａ）〜（Ｄ）は図３に示す袋運搬具の作用を示す説明図である。
【図５】図３とは更に異なる本発明の袋運搬具の一実施形態を示す斜視図である。
【符号の説明】
【００５７】
１０，３０，５０  袋運搬具
１１  粘着テープ
１２,１２Ａ，１２Ｂ  開口
１３  袋
１４，３１，５１  支持部
１５  帯部材
１６，３２，５２  取手部
１７  係止孔
１８，３３  第一連結部
１９，３４  第二連結部
２０，３５  接続部
２１，３６，５４  グリップ
２２，４０，５５  係止部
３９  滑止め
４１  ストッパ
【図１】
2006021810.tif 000003
【図２】
2006021810.tif 000004
【図３】
2006021810.tif 000005
【図４】
2006021810.tif 000006
【図５】
2006021810.tif 000007